(57)【要約】【課題】第１乃至第３の３つの共振周波数をそれぞれ独立して調整することを可能とするアンテナ装置を提供すること。【解決手段】実施形態によれば、アンテナ装置は、線状の第１のアンテナ素子と、線状の第２のアンテナ素子と、線状の第３のアンテナ素子とを具備する。前記第１のアンテナ素子は、給電点に一端が接続される。前記第２のアンテナ素子は、前記第１のアンテナ素子の素子長よりも短い素子長を有し、前記給電点に一端が接続される。前記第３のアンテナ素子は、前記第１のアンテナ素子の素子長よりも短い素子長を有し、前記第１のアンテナ素子上に一端が接続される。【選択図】図３
2012034202.tif 000002
【特許請求の範囲】
【請求項１】
給電点に一端が接続される線状の第１のアンテナ素子と、
前記第１のアンテナ素子の素子長よりも短い素子長を有し、前記給電点に一端が接続される線状の第２のアンテナ素子と、
前記第１のアンテナ素子の素子長よりも短い素子長を有し、前記第１のアンテナ素子上に一端が接続される線状の第３のアンテナ素子と、
を具備するアンテナ装置。
【請求項２】
前記第１のアンテナ素子の素子長が、第１の共振周波数の波長の略１／４であり、
前記第２のアンテナ素子の素子長が、第２の共振周波数の波長の略１／４であり、
前記第１のアンテナ素子の他端から前記第３のアンテナ素子の一端が接続される分岐点を経由して前記第３のアンテナ素子の他端に至るまでの長さが、第３の共振周波数の波長の略１／２である、
請求項１記載のアンテナ装置。
【請求項３】
前記アンテナ装置は、第１乃至第３の共振周波数を有し、
前記第１のアンテナ素子の素子長は、前記第１の共振周波数の波長および前記第３の共振周波数の波長との間で関連性を有し、
前記第２のアンテナ素子の素子長は、前記第２の共振周波数の波長との間で関連性を有し、
前記第３のアンテナ素子の素子長は、前記第３の共振周波数の波長との間で関連性を有し、
前記第１乃至第３のアンテナ素子の各素子長を調整することにより、前記第１乃至第３の共振周波数をそれぞれ独立に調整可能である請求項１記載のアンテナ装置。
【請求項４】
前記第１のアンテナ素子上に、接地導体への短絡部が設けられる請求項１記載のアンテナ装置。
【請求項５】
前記第１のアンテナ素子は、折り返しアンテナである請求項１記載のアンテナ装置。
【請求項６】
前記第２のアンテナ素子は、当該第２のアンテナ素子の一端から前記第１のアンテナ素子に対して垂直に配置される第１の部分と、前記第１の部分の終端から前記第１のアンテナ素子に対して平行かつ前記第１のアンテナ素子が配置されている側と同一方向に配置されて当該第２のアンテナ素子の他端に至る第２の部分とで構成され、
前記第３のアンテナ素子は、当該第３のアンテナ素子の一端から前記第１のアンテナ素子に対して垂直に配置される第３の部分と、前記第３の部分の終端から前記第１のアンテナ素子に対して平行かつ前記第１のアンテナ素子の終端側の方向に配置されて当該第３のアンテナ素子の他端に至る第４の部分とで構成される、
請求項１記載のアンテナ装置。
【請求項７】
前記第３のアンテナ素子の前記第３の部分は、前記第２のアンテナ素子の前記第１の部分が配置されている側の方向に配置される請求項６記載のアンテナ装置。
【請求項８】
前記第３のアンテナ素子の前記第４の部分は、前記第２のアンテナ素子の前記第２の部分の同一線上に配置される請求項６記載のアンテナ装置。
【請求項９】
前記第２のアンテナ素子の素子長と前記第３のアンテナ素子の素子長とが異なる請求項１記載の情報処理装置。
【請求項１０】
前記第１のアンテナ素子は、当該第１のアンテナ素子の一端から前記第３のアンテナ素子の一端が接続される分岐点に至る第１の部分と、前記第１の部分の終端から前記第１の部分に対して垂直に配置される第２の部分と、前記第２の分岐点から前記第１の部分に対して平行かつ前記第１の部分が配置されている側と対向する方向に配置されて当該第１のアンテナ素子の他端に至る第３の部分とで構成される請求項１記載のアンテナ装置。
【請求項１１】
前記第３のアンテナ素子は、前記分岐点から前記第１のアンテナ素子の前記第１の部分の同一線上に配置される請求項１０記載のアンテナ装置。
【請求項１２】
前記第１のアンテナ素子の前記第３の部分は、前記第３のアンテナ素子を囲むように先端部が内側に折り曲げられたＵ字型の形状で形成される請求項１１記載のアンテナ装置。
【請求項１３】
前記第３のアンテナ素子は、当該第３のアンテナ素子の一端から前記第１のアンテナ素子に対して垂直方向に配置される第４の部分と、前記分岐点から終端に至る前記第１のアンテナ素子の一部分の形状と同一形状で形成され、前記第４の部分の終端から当該第３のアンテナ素子の他端に至る第５の部分とで構成され、
前記第３のアンテナ素子が前記第１のアンテナ素子と前記第４の部分が配置される方向上で重ね合わせるように配置される請求項１０記載のアンテナ装置。
【請求項１４】
前記第２のアンテナ素子は、当該第２のアンテナ素子の一端から前記第１のアンテナ素子の前記第１の部分に対して垂直に配置される第６の部分と、前記第６の部分の終端から前記第１のアンテナ素子の前記第１の部分に対して平行かつ前記第１の部分が配置されている側と同一方向に配置されて当該第２のアンテナ素子の他端に至る第７の部分とで構成される請求項１０、１１、１２または１３記載のアンテナ装置。
【請求項１５】
前記第２のアンテナ素子の前記第７の部分は、前記第１のアンテナ素子の前記第３の部分の同一線上に配置される請求項１４記載のアンテナ装置。
【請求項１６】
前記第３のアンテナ素子は、当該第３のアンテナ素子の一端から前記第１のアンテナ素子に対して垂直方向に配置される第１の部分と、当該第３のアンテナ素子が接続される分岐点から終端に至る前記第１のアンテナ素子の一部分の形状と同一形状で形成され、前記第１の部分の終端から当該第３のアンテナ素子の他端に至る第２の部分とで構成され、
前記第３のアンテナ素子が前記第１のアンテナ素子と前記第１の部分が配置される方向上で重ね合わせるように配置される請求項１記載のアンテナ装置。
【発明の詳細な説明】
【技術分野】
【０００１】
本発明の実施形態は、例えば無線通信機能を有するパーソナルコンピュータ等に適用されるアンテナ装置に関する。
【背景技術】
【０００２】
近年、ノートブックタイプ等、バッテリ駆動可能で携行容易なパーソナルコンピュータが広く普及している。また、ホットスポットサービスなどと称される公衆無線ＬＡＮ（Local area network）サービスが各地で提供され始めている。このようなことから、この種のパーソナルコンピュータの多くは、無線ＬＡＮのアクセスポイント（ＡＰ）との間で無線通信を実行するための無線通信機能を有している。さらに、最近では、第３世代移動通信方式（３Ｇ）に従って外部デバイスとの無線通信を実行する無線通信機能を搭載することが一般的になりつつある。
【０００３】
また、無線通信方式の種類の増加に伴い、この種のパーソナルコンピュータの無線通信機能には、複数の無線通信方式をサポートすることが要求されている。そして、この要求に応えるべく、１つのアンテナ装置で複数の共振周波数帯域をカバーする（多共振化）ための仕組みがこれまでも種々提案されている。
【先行技術文献】
【特許文献】
【０００４】
【特許文献１】特開２００９−７６９６１号公報
【発明の概要】
【発明が解決しようとする課題】
【０００５】
例えば、３つの共振周波数帯域をカバーするアンテナ装置として、給電点に接続された第１のアンテナ素子の給電点近傍に第２のアンテナ素子を接続した構成を持つアンテナ装置が良く知られている。このような構成を持つアンテナ装置では、（１）第１の共振周波数ではアンテナ上の電流は主に第１のアンテナ素子上を流れ、（２）第２の共振周波数ではアンテナ上の電流は主に第２のアンテナ素子上を流れ、（３）第３の共振周波数ではアンテナ上の電流は主に第１のアンテナ素子上を流れる。また、第３の共振周波数は、第１の共振周波数の３倍高調波となっている。
【０００６】
従って、第１のアンテナ素子の素子長を変化させると、第１の共振周波数と同時に、第３の共振周波数も変化することになる。つまり、このような構成を持つアンテナ装置においては、第１の共振周波数と第３の共振周波数とを独立して調整することができないといった問題があった。
【０００７】
本発明は、このような事情を考慮してなされたものであり、第１乃至第３の３つの共振周波数をそれぞれ独立して調整することを可能とするアンテナ装置を提供することを目的とする。
【課題を解決するための手段】
【０００８】
実施形態によれば、アンテナ装置は、線状の第１のアンテナ素子と、線状の第２のアンテナ素子と、線状の第３のアンテナ素子とを具備する。前記第１のアンテナ素子は、給電点に一端が接続される。前記第２のアンテナ素子は、前記第１のアンテナ素子の素子長よりも短い素子長を有し、前記給電点に一端が接続される。前記第３のアンテナ素子は、前記第１のアンテナ素子の素子長よりも短い素子長を有し、前記第１のアンテナ素子上に一端が接続される。
【図面の簡単な説明】
【０００９】
【図１】実施形態のアンテナ装置を搭載する情報処理装置の外観を示す図。
【図２】実施形態のアンテナ装置を搭載する情報処理装置のシステム構成を示す図。
【図３】実施形態のアンテナ装置の構成を示す図。
【図４】実施形態のアンテナ装置の特性（ＶＳＷＲ）を示す図。
【図５】従来のアンテナ装置の構成を示す図。
【図６】従来のアンテナ装置の特性（ＶＳＷＲ）を示す図。
【図７】従来のアンテナ装置における各共振周波数でのアンテナ素子上の電流分布を示す図。
【図８】実施形態のアンテナ装置における各共振周波数でのアンテナ素子上の電流分布を示す図。
【図９】実施形態のアンテナ装置の各素子の素子調を変化させた場合の特性（ＶＳＷＲ）を示す図。
【図１０】図９中の「第１素子長」、「第２素子長」および「第３素子長」を説明するための図。
【図１１】実施形態のアンテナ装置の第２共振周波数と第３共振周波数とを入れ替える例を説明するための図。
【図１２】実施形態のアンテナ装置の構成の第１の変形例を示す図。
【図１３】実施形態のアンテナ装置の構成の第２の変形例を示す図。
【図１４】実施形態のアンテナ装置の構成の第３の変形例を示す図。
【図１５】実施形態のアンテナ装置の構成の第４の変形例を示す図。
【図１６】実施形態のアンテナ装置の構成の第５の変形例を示す図。
【発明を実施するための形態】
【００１０】
以下、実施の形態について図面を参照して説明する。
【００１１】
図１は、実施形態のアンテナ装置を搭載する情報処理装置の外観を示す図である。この情報処理装置は、例えば、バッテリ駆動可能な携帯型のパーソナルコンピュータ１０として実現されている。
【００１２】
図１は、このコンピュータ１０のディスプレイユニットを開いた状態における斜視図である。コンピュータ１０は、コンピュータ本体１１と、ディスプレイユニット１２とから構成される。ディスプレイユニット１２には、ＬＣＤ（Liquid crystal display）１７が組み込まれており、ＬＣＤ１７の表示画面はディスプレイユニット１２のほぼ中央に位置されている。
【００１３】
ディスプレイユニット１２は、コンピュータ本体１１にヒンジ部２０を介して回動自在に取り付けられている。ヒンジ部２０はコンピュータ本体１１にディスプレイユニット１２を連結する連結部である。即ち、ディスプレイユニット１２は、コンピュータ本体１１の後端部に配置されたヒンジ部２０によって支持されている。ディスプレイユニット１２は、コンピュータ本体１１に対してコンピュータ本体１１の上面が露出される開放位置とコンピュータ本体１１の上面がディスプレイユニット１２によって覆われる閉塞位置との間をヒンジ部２０によって回動自在に取り付けられている。
【００１４】
実施形態のアンテナ装置１は、このディスプレイユニット１２の内部に設けられる。アンテナ装置１は、第１乃至第３の３つの共振周波数帯域を有している。アンテナ装置１には、コンピュータ本体１１内に設けられた無線通信モジュール１１２からヒンジ部２０を介してディスプレイユニット１２内に導かれる信号線２が接続されている。
【００１５】
コンピュータ本体１１は、薄い箱形の筐体を有するベースユニットであり、その上面には、キーボード１３、本コンピュータ１０をパワーオン／パワーオフするためのパワーボタン１４、入力操作パネル１５、タッチパッド１６、スピーカ１８Ａ，１８Ｂなどが配置されている。入力操作パネル１５上には、各種操作ボタンが設けられている。また、コンピュータ本体１１内部には、各種電子部品が設けられたシステム基板（マザーボードともいう）が設けられている。無線通信モジュール１１２は、このシステム基板上に設けられている。無線通信モジュール１１２は、例えば第３世代移動通信方式（３Ｇ）に従って外部デバイスとの無線通信を実行するモジュールである。
【００１６】
アンテナ装置１の搭載位置は、例えばディスプレイユニット１２内の上端部である。アンテナ装置１をディスプレイユニット１２内の上端部に設けることにより、無線通信モジュール１１２は、アンテナ装置１が比較的高い位置に配置されている状態で外部デバイスとの無線通信を実行することができる。
【００１７】
また、コンピュータ本体１１の右側面には、例えばUSB（Universal serial bus）2.0規格に対応したＵＳＢケーブルやＵＳＢデバイスを接続するためのＵＳＢコネクタ１９が設けられている。
【００１８】
図２は、コンピュータ１０のシステム構成を示す図である。
【００１９】
コンピュータ１０は、図２に示されているように、ＣＰＵ（Central processing unit）１０１、ノースブリッジ１０２、主メモリ１０３、サウスブリッジ１０４、ＧＰＵ（Graphics processing unit）１０５、ＶＲＡＭ（ビデオＲＡＭ：Random access memory）１０５Ａ、サウンドコントローラ１０６、ＢＩＯＳ−ＲＯＭ（Basic input/output system-read only memory）１０７、ＬＡＮコントローラ１０８、ハードディスクドライブ（ＨＤＤ：Hard disk drive）１０９、光ディスクドライブ（ＯＤＤ：Optical disc drive）１１０、ＵＳＢコントローラ１１１、無線通信モジュール１１２、各種周辺機器１１３、エンベデッドコントローラ／キーボードコントローラ（ＥＣ／ＫＢＣ：Embedded controller/keyboard controller）１１４、ＥＥＰＲＯＭ（electrically erasable programmable ROM）１１５等を備える。
【００２０】
ＣＰＵ１０１は、コンピュータ１０内の各部の動作を制御するプロセッサである。ＣＰＵ１０１は、ＨＤＤ１０９から主メモリ１０３にロードされる、オペレーティングシステム（ＯＳ）や各種アプリケーションプログラム等を実行する。また、ＣＰＵ１０１は、ＢＩＯＳ−ＲＯＭ１０７に格納されたＢＩＯＳも実行する。ＢＩＯＳは、ハードウェア制御のためのプログラムである。
【００２１】
ノースブリッジ１０２は、ＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、例えばPCI EXPRESS規格のシリアルバスなどを介してＧＰＵ１０５との通信を実行する機能も有している。
【００２２】
ＧＰＵ１０５は、コンピュータ１０のディスプレイモニタとして使用されるＬＣＤ１７を制御する表示コントローラである。ＧＰＵ１０５によって生成される表示信号がＬＣＤ１７に送られる。
【００２３】
サウスブリッジ１０４は、ＰＣＩ（Peripheral component interconnect）バス上の各種周辺機器１１３を制御する。また、サウスブリッジ１０４は、ＨＤＤ１０９およびＯＤＤ１１０を制御するためのＩＤＥ（Integrated drive electronics）コントローラを内蔵している。さらに、サウスブリッジ１０４は、サウンドコントローラ１０６、ＬＡＮコントローラ１０８、ＵＳＢコントローラ１１１および無線通信モジュール１１２との通信を実行する機能も有している。
【００２４】
サウンドコントローラ１０６は音源デバイスであり、再生対象のオーディオデータをスピーカ１８Ａ，１８Ｂに出力する。ＬＡＮコントローラ１０８は、例えばIEEE 802.3規格の有線通信を実行する有線通信デバイスである。ＵＳＢコントローラ１１１は、（ＵＳＢコネクタ１９を介して接続される）例えばUSB 2.0規格に対応した外部機器との通信を実行する。
【００２５】
無線通信モジュール１１２は、無線信号（ＲＦ信号）を送受信するためのアンテナ端子を有している。このアンテナ端子に、前述した信号線２が接続され、（当該信号線２を介して）無線通信モジュール１１２とアンテナ装置１とが結合されている。
【００２６】
ＥＣ／ＫＢＣ１１４は、電力管理のためのエンベデッドコントローラと、キーボード１３およびタッチパッド１６を制御するためのキーボードコントローラとが集積された１チップマイクロコンピュータである。ＥＣ／ＫＢＣ１１４は、ユーザによるパワーボタン１４の操作に応じてコンピュータ１０をパワーオン／パワーオフする機能を有している。
【００２７】
次に、以上のようなシステム構成を有するコンピュータ１０に搭載される実施形態のアンテナ装置１の構成について説明する。図３は、アンテナ装置１の構成を示す図である。
【００２８】
図３中、２０１，２０２，２０３は、アンテナ素子である。ここでは、２０１を第１素子、２０２を第２素子、２０３を第３素子と称する。また、２０４は、給電点であり、２０５は、アンテナグランド（接地導体：ＧＮＤ）である。
【００２９】
図３に示すように、本アンテナ装置１においては、まず、第１素子２０１と第２素子２０２が、それぞれ給電点２０４に接続される。これに加えて、本アンテナ装置１においては、さらに、第３素子２０３が、給電点２０４に接続された第１素子２０１と分岐点ｘにて接続される。本アンテナ装置１は、第１素子２０１の途中箇所（分岐点ｘ）に第３素子２０３を追加することで、第１乃至第３の３つの共振周波数をそれぞれ独立して調整することを可能としたものであり、以下、この点について詳述する。
【００３０】
なお、第１素子２０１、第２素子２０２および第３素子２０３の各素子長は、例えば次の（１）〜（３）を満たすように設定される。（１）第１素子の素子長が、第１の共振周波数の波長の略１／４となる。（２）第２素子の素子長が、第２の共振周波数の波長の略１／４となる。（３）第１素子の先端部から分岐点ｘを通って第３素子の先端部に至るまでの長さが、第３の共振周波数の波長の略１／２となる。
【００３１】
図４は、アンテナ装置１の特性（ＶＳＷＲ）を示す図である。図４中、横軸は周波数、縦軸はＶＳＷＲを示している。
【００３２】
前述したように、アンテナ装置１は、第１乃至第３の３つの共振周波数帯域を有している。図４中、（１）を第１共振周波数、（２）を第２共振周波数、（３）を第３共振周波数とする。
【００３３】
ここで、実施形態のアンテナ装置１と比較するために、（第３素子を持たない）第１乃至第３の３つの共振周波数帯域を有する従来のアンテナ装置の構成を図５に示し、その特性（ＶＳＷＲ）を図６に示す。なお、図５中、実施形態のアンテナ装置１と同一のモジュールには、図３で付した符号と同一の符号を付している。また、図４に示した実施形態のアンテナ装置１の場合と同様、図６中、（１）を第１共振周波数、（２）を第２共振周波数、（３）を第３共振周波数とする。
【００３４】
また、図７に、当該（第３素子を持たない）従来のアンテナ装置における各共振周波数でのアンテナ素子上の電流分布を示す。図７中、（Ａ）は、第１共振周波数における電流分布、（Ｂ）は、第２共振周波数における電流分布、（Ｃ）は、第３共振周波数における電流分布をそれぞれ示している。また、（破線の）矢印は、電流の向きを示している。
【００３５】
図７に示すように、第１共振周波数（Ａ）では、従来のアンテナ装置上の電流は主に第１素子２０１上を流れている。また、第２共振周波数（Ｂ）では、従来のアンテナ装置上の電流は主に第２素子２０２上を流れている。そして、第３共振周波数（Ｃ）では、従来のアンテナ装置上の電流は主に第１素子２０１上を流れている。また、この第３共振周波数は、第１の共振周波数の３倍高調波となっている。
【００３６】
従って、第１素子２０１の素子長を変化させると、第１共振周波数と同時に、第３共振周波数も変化することになる。つまり、従来のアンテナ装置においては、第１共振周波数と第３共振周波数とを独立して調整することができない。
【００３７】
一方、図８は、（第３素子２０３を追加した）実施形態のアンテナ装置１における各共振周波数でのアンテナ素子上の電流分布を示す図である。図８中、（Ａ）は、第１共振周波数における電流分布、（Ｂ）は、第２共振周波数における電流分布、（Ｃ）は、第３共振周波数における電流分布をそれぞれ示している。また、（破線の）矢印は、電流の向きを示している。
【００３８】
図８に示すように、第１共振周波数（Ａ）では、アンテナ装置１上の電流は主に第１素子２０１上を流れている。また、第２共振周波数（Ｂ）では、アンテナ装置１上の電流は主に第２素子２０２上を流れている。そして、第３共振周波数（Ｃ）では、アンテナ装置１上の電流は主に第１素子２０１および第３素子上を流れている。
【００３９】
次に、図９に、実施形態のアンテナ装置１の各素子（２０１，２０２，２０３）の素子長を変化させた場合の特性（ＶＳＷＲ）を示す。なお、図９中の「第１素子長」、「第２素子長」および「第３素子長」とは、図１０に示すように、第１素子２０１の素子長、第２素子２０２の素子長および第３素子２０３の素子長をそれぞれ意味している。
【００４０】
図９中、（Ａ）は、第１素子２０１の素子長だけを変化させた場合、（Ｂ）は、第２素子２０２の素子長だけを変化させた場合、（Ｃ）は、第３素子２０３の素子長だけを変化させた場合をそれぞれ示している。図９において、第１素子２０１の先端部から第３素子２０３が接続された分岐点までの距離は４２ｍｍとする。
【００４１】
図９（Ａ）に示すように、第１素子２０１の素子長（「第１素子長」）だけを変化させた場合には、主に第１共振周波数と第３共振周波数とが変化している。また、図９（Ｂ）に示すように、第２素子２０２の素子長（「第２素子長」）だけを変化させた場合には、主に第２共振周波数だけが変化している。そして、図９（Ｃ）に示すように、第３素子２０３の素子長（「第３素子長」）だけを変化させた場合には、主に第３共振周波数だけが変化している。
【００４２】
従って、（第３素子２０３を追加した）実施形態のアンテナ装置１の構成においては、各素子（２０１，２０２，２０３）の素子長を調整することで、第１乃至第３の３つの共振周波数をそれぞれ独立に調整することが可能となる。
【００４３】
また、第１素子２０１の素子長が、第１の共振周波数の波長の略１／４、第２素子２０２の素子長が、第２の共振周波数の波長の略１／４、第１素子２０１の先端部から分岐点ｘを通って第３素子２０３の先端部に至るまでの長さが、第３の共振周波数の波長の略１／２となっている。
【００４４】
続いて、図１１を参照して、第２共振周波数を第３共振周波数よりも高い周波数にする場合を説明する。
【００４５】
ここでは、図１１（Ａ）に示すように、第１素子２０１の素子長を８２ｍｍ、第２素子２０２の素子長を３４ｍｍ、第１素子２０１の素子長を３５ｍｍ、第１素子２０１の先端部から第３素子２０３が接続された分岐点ｘまでの距離は４２ｍｍとし、この場合のアンテナ装置１の特性（ＶＳＷＲ）を図１１（Ｂ）に示す。図１１（Ｂ）中、（１）を第１共振周波数、（２）を第２共振周波数、（３）を第３共振周波数とする。
【００４６】
図１１（Ｂ）に示すように、まず、８００ＭＨｚ付近に主に第１素子２０１による第１共振周波数が現れている。また、２．１ＧＨｚ付近に主に第２素子２０２による第２共振周波数が現れている。そして、１．８ＧＨｚ付近に主に第３素子２０３による第３共振周波数が現れている。
【００４７】
図１１の場合も同様に、第１素子２０１の素子長が、第１の共振周波数の波長の略１／４、第２素子２０２の素子長が、第２の共振周波数の波長の略１／４、第１素子２０１の先端部から分岐点ｘを通って第３素子２０３の先端部に至るまでの長さが、第３の共振周波数の波長の略１／２となっている。
【００４８】
このように、実施形態のアンテナ装置１においては、第２素子２０２の素子長と第３素子２０３の素子長とを調整することで、第２共振周波数と第３共振周波数とを入れ替えることも可能である。
【００４９】
以上のように、実施形態のアンテナ装置１によれば、第１素子２０１の途中箇所（分岐点ｘ）に第３素子２０３を追加することで、第１乃至第３の３つの共振周波数をそれぞれ独立して調整することを可能とする。即ち、小型で調整が容易なアンテナ装置１を実現できる。
【００５０】
ところで、前述の説明では、第１素子２０１の途中箇所（分岐点ｘ）に第３素子２０３を追加した実施形態のアンテナ装置１の構成例として、図３に示す形態を示したが、これに限らず、種々の変形を施すことが可能である。
【００５１】
例えば、図１２に示すように、第１素子２０１を、第３素子２０３との分岐点ｘでＧＮＤ２０５から遠ざかる方向に折り曲げ、例えば、第３素子２０３を、折り曲げ前の第１素子２０１の同一線上に配置するようにしても良い。この場合、第１素子２０１をＧＮＤ２０５から離すことが可能となり、第１共振周波数付近でのアンテナ特性を改善することが可能となる。
【００５２】
また、例えば、図１３に示すように、例えば第３素子２０３を囲むように、さらに、第１素子２０１の先端を内側に折り曲げるようにしても良い。即ち、第１素子２０１の先端部をＵ字型の形状で形成しても良い。この場合、アンテナ幅方向を短くすることができ、アンテナ装置１の小型化を図ることが可能となる。
【００５３】
また、例えば、図１４に示すように、第１素子２０１と第３素子２０３とをアンテナ厚み方向に重ねるように構成しても良い。この場合、第１素子２０１および第３素子２０３の双方ともに、素子の先端をＧＮＤ２０５から離すことが可能となり、アンテナ特性を改善することが可能となる。
【００５４】
また、例えば、図１５に示すように、第１素子２０１を、折り返し構造（いわゆる折り返しアンテナ）としても良い。この場合、第１共振周波数付近でのインピーダンスを上げることが可能となり、第１素子２０１とＧＮＤ２０５との間の距離が近い場合でも、インピーダンスの低下を低減することが可能となり、アンテナ特性を向上させることが可能となる。また、この場合には、図１５（Ｂ）に示すように、第３素子２０３をＧＮＤ側に配置することも可能である。
【００５５】
さらに、例えば、図１６に示すように、いわゆる逆Ｆアンテナと同様、インピーダンスの調整用に、第１素子２０１にＧＮＤ２０５への短絡部を設けても良い。
【００５６】
このように、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５７】
１…アンテナ装置、２…信号線、１０…パーソナルコンピュータ、１１…コンピュータ本体、１２…ディスプレイユニット、１３…キーボード、１４…パワーボタン、１５…入力操作パネル、１６…タッチパッド、１７…ＬＣＤ、１８Ａ，１８Ｂ…スピーカ、１９…ＵＳＢコネクタ、２０…ヒンジ部、１０１…ＣＰＵ、１０２…ノースブリッジ、１０３…主メモリ、１０４…サウスブリッジ、１０５…グラフィックスコントローラ、１０５Ａ…ビデオメモリ、１０６…サウンドコントローラ、１０７…ＢＩＯＳ−ＲＯＭ、１０８…ＬＡＮコントローラ、１０９…ハードディスクドライブ（ＨＤＤ）、１１０…光磁気ディスクドライブ（ＯＤＤ）、１１１…ＵＳＢコントローラ、１１２…無線通信モジュール、１１３…各種周辺機器、１１４…エンベデッドコントローラ／キーボードコントローラ（ＥＣ／ＫＢＣ）、１１５…ＥＥＰＲＯＭ、２０１…第１素子、２０２…第２素子、２０３…第３素子、２０４…給電点、２０５…アンテナグランド（ＧＮＤ）、ｘ…分岐点。
【図１】
2012034202.tif 000003
【図２】
2012034202.tif 000004
【図３】
2012034202.tif 000005
【図４】
2012034202.tif 000006
【図５】
2012034202.tif 000007
【図６】
2012034202.tif 000008
【図７】
2012034202.tif 000009
【図８】
2012034202.tif 000010
【図９】
2012034202.tif 000011
【図１０】
2012034202.tif 000012
【図１１】
2012034202.tif 000013
【図１２】
2012034202.tif 000014
【図１３】
2012034202.tif 000015
【図１４】
2012034202.tif 000016
【図１５】
2012034202.tif 000017
【図１６】
2012034202.tif 000018